(57)【要約】【課題】  過去のゴルフプレイの成績を一覧で見ることができると共に、各ゴルフ場ごとに特色あるマーカ１をそこに表示できるゴルフ歴戦ボードの提供。【解決手段】  軟質ボード本体２の表面に筆記具で記載可能な可筆面３を設け、可筆面３にプレイの日付、場所、スコアを併記して記入可能な記入欄４〜６を設けると共に、マーカ１を取り付けるマーカ取付部７を設けて、エレメント８を構成する。このようなエレメント８を多数並列する。【選択図】        図１
0003110793.tif 000002
【実用新案登録請求の範囲】
【請求項１】
プラスチック製のゴルフ用マーカ(1) の脚部(1a)が圧入により貫通可能な、ダンボールおよび／または発砲スチロールボート等の軟質ボード本体(2) と、
その軟質ボード本体(2)の表面に設けられ、筆記具で記載可能な可筆面(3) と、
前記可筆面(3) に枠取りされ、プレイの日付、場所、スコア等を併記して記入可能な記入欄(4) 〜(6) および前記マーカ(1) を取付るマーカ取付部(7)が設けられたエレメント(8) とを有し、
複数の前記エレメント(8) が並列されたゴルフ戦歴ボード。
【請求項２】
請求項１において、
前記軟質ボード本体(2)の厚みが前記マーカ(1) の脚部(1a)長さ以上であるゴルフ戦歴ボード。
【請求項３】
請求項１または請求項２において、
前記マーカ取付部(7)に予め、マーカ(1) の脚部(1a)の直径より小なる直径の取付孔(9) が設けられたゴルフ戦歴ボード。
【考案の詳細な説明】
【技術分野】
【０００１】
本考案は、ゴルファーのゴルフの戦歴である日付、ゴルフ場名、スコアと共に、そのゴルフ場特有のマーカを表示して、過去の成績を一覧することができるゴルフ戦歴ボードに関する。
【背景技術】
【０００２】
従来、一人の過去のゴルフのスコア等を一覧にしたゴルフ戦歴ボードは存在しなかった。
【考案の開示】
【考案が解決しようとする課題】
【０００３】
本考案は、一人のゴルファーのプレイを歴史的に、順に配列し一覧できると共に、体裁がよく、思い出深い、面白みのある戦歴ボードを提供することを課題とする。
【課題を解決するための手段】
【０００４】
請求項１に記載の本考案は、プラスチック製のゴルフ用マーカ(1) の脚部(1a)が圧入により貫通可能な、ダンボールおよび／または発砲スチロールボート等の軟質ボード本体(2) と、
その軟質ボード本体(2) の表面に設けられ、筆記具で記載可能な可筆面(3) と、
前記可筆面(3) に枠取りされ、プレイの日付、場所、スコアを併記して記入可能な記入欄(4) 〜(6) および前記マーカ(1) を取付るマーカ取付部(7)が設けられたエレメント(8) とを有し、
複数の前記エレメント(8) が並列されたゴルフ戦歴ボードである。
【０００５】
請求項２に記載の本考案は、請求項１において、
前記軟質ボード本体(2) の厚みが前記マーカ(1) の脚部(1a)長さ以上であるゴルフ戦歴ボードである。
【０００６】
請求項３に記載の本考案は、請求項１または請求項２において、
前記マーカ取付部(7) に予め、マーカ(1) の脚部(1a)の直径より小なる直径の取付孔(9) が設けられたゴルフ戦歴ボードである。
【考案の効果】
【０００７】
本考案のゴルフ戦歴ボードは、可筆面３に複数の記入欄４〜６が設けられると共にマーカ１を取り付けるマーカ取付部７が設けられ、その軟質ボード本体２にマーカ１の脚部１ａが圧入により貫通可能に形成されたから、プレイしたゴルフ場によって異なるマーカ１と共に、そのスコア、日付を一覧することができる。それにより体裁がよく且つわかり易いゴルフ戦歴ボードとなりうる。また、それぞれのエレメント８に並列して、そのゴルフ場特有のマーカ１が取付られるため、それによって戦歴ボードの表面にアクセントがつき且つ、スコアとそのときのゴルフ場とが一体に思い出され、味わい深いものとなりうる。
【０００８】
上記構成において、軟質ボード本体２の厚みをマーカ１の脚部１ａの長さ以上とした場合には、脚部１ａの先端が裏面側に突出することなく体裁のよいゴルフ戦歴ボードとなりうる。
【０００９】
上記構成において、マーカ取付部７に予め小さな取付孔９を設けたものにおいては、マーカ１の取り付け位置を正確にして更に体裁のよいゴルフ戦歴ボードとなりうる。それと共に、マーカがボードから外れることがない。
【考案を実施するための最良の形態】
【００１０】
次に図面に基づいて本考案の実施の形態について説明する。図１は本考案のゴルフ戦歴ボードの一例を示す正面図であり、図２は図１のII部拡大図、図３は図２のIII−III矢視断面図である。
【００１１】
この例のゴルフ戦歴ボードは、平面が矩形に形成されている。このゴルフ戦歴ボードは軟質ボード本体２の表面に可筆面３が図３の如く、被着されたものである。この例では軟質ボード本体２がダンボール２ａと発砲スチロールボード２ｂとの重ね合わせからなり、両者間が接着等により固定されている。その軟質ボード本体２の表面には可筆面３が貼着されている。なお、ダンボール２ａの表面自身を可筆面３とすることもできる。その軟質ボード本体２の厚みは、マーカ１の脚部１ａの長さよりも厚く形成されている。
【００１２】
このようなゴルフ戦歴ボードの表面に設けられた可筆面３には、図１及び図２に示す如く、多数のエレメント８が予め印刷されている。各エレメント８は、プレイの日付欄、ゴルフ場の記入欄、スコアの記入欄（この例ではinとoutを分離して、それぞれ記載できる。また、東西南北で表示するゴルフ場もある。）が表示され、そこにそれぞれを記入することができる。さらに、この例では最下欄にマーカ１を取り付けるマーカ取付部７が設けられている。マーカ取付部７の中心には予め、取付孔９が穿接されている。取付孔９はマーカ１の脚部１ａの直径より小なる直径である。そこで、プレイしたゴルフ場のマーカ１の脚部１ａを取付孔９に圧入することによりマーカ取付部７欄にそれを保持することができる。即ち、マーカ１の脚部１ａを図３の如く圧入し、軟質ボード本体２の弾性力によってそれを保持することができる。
【００１３】
なお、各記入欄４〜６はボールペンや鉛筆あるいはサインペンなどにより記入できるものとする。また、可筆面３はマーカ１の脚部１ａが容易に貫通できるものであれば、紙その他のシートを用いることができる。この例では縦列及び横列にそれぞれ多数のエレメント８が設けられている。そして、それを左上から順に記載することにより、自己のゴルフスコアの歴史を見ることができる。また、各ゴルフ場独自のマーカ１によってプレイ場所を即座に読み取ることができる。そのマーカ１が同じ列に一列に配列されることにより、変化に富み、装飾性の高いボードとなる。
【００１４】
次に、図４は軟質ボード本体２の他の例であり、この例ではマーカ１の脚部１ａの長さよりも厚い発砲スチロールボード２ｂを用い、その表面に可筆面３として紙を貼着したものである。なお、その表面の形式は図１及び図２と同一にすることができる。
図１において、この例ではボードの四周は枠部10で囲まれているが、これに限定されるものではない。また、図１においてゴルフの戦歴の表示はそれぞれ好みにより違う表示をすることが可能である。また、スコア欄の記入欄６はinとoutの二つに分かれているが、それに加えてスコアの合計欄を設けてもよい。あるいは合計欄のみを設けることも可能である。また、上記のように東西南北で表示するスコア欄を設けることもできる。更にはエレメント８に備考覧を設け、そのときの状況、天候等を記載することも可能である。
【図面の簡単な説明】
【００１５】
【図１】本考案のゴルフ戦歴ボードの正面図。
【図２】図１におけるII部拡大図。
【図３】図２のIII−III矢視断面図。
【図４】本考案の軟質ボード本体２の他の例を示す断面図。
【符号の説明】
【００１６】
１  マーカ
1a  脚部
２  軟質ボード本体
2a  ダンボール
2b  発砲スチロールボード
【００１７】
３  可筆面
４〜６  記入欄  
７  マーカ取付部  
８  エレメント  
９  取付孔
10  枠部
【図１】
0003110793.tif 000003
【図２】
0003110793.tif 000004
【図３】
0003110793.tif 000005
【図４】
0003110793.tif 000006